(57)【要約】【課題】  従来のものは、母材に透かしを設けるために特別な装置や製造方法が必要であり、また、一般に流通している母材に対して購入後に透かしを設けることは容易にできず、汎用性に乏しく、コスト高となっていた。【解決手段】  母材１としてＸ線に対して透過性を有するものを使用し、不可視マーカー２としてプリンタなどに用いられるインクを基本とし、Ｘ線に対して母材１の透過性よりも低い透過性または遮断性を持ち、可視光に対する反射性が母材１とほぼ同一の顔料、例えばバリウムや酸化チタン、アルミナなどの金属粉を主成分とする白色の顔料を水性のベース剤に混合したものを用いて、プリンタの白色カートリッジに不可視マーカー２となる顔料を用いたカートリッジをセットし、母材１の判別用エリアに、予め定めた記号による不可視マーカー２を印字した後、文書や記号、図面などをプリンタで印字する。【選択図】  図１
2005254465.tif 000002
【特許請求の範囲】
【請求項１】
Ｘ線に対して透過性を有する母材に設ける不可視マーカーであって、前記母材の透過性よりも低い透過性または遮断性を持ち、可視光に対する反射性が前記母材とほぼ同一の不可視マーカー。
【請求項２】
前記母材の透過性よりも低い透過性または遮断性を持ち可視光に対する反射性が前記母材とほぼ同一の顔料または染料と、揮発性のベース剤を主成分とする液状の請求項１記載の不可視マーカー。
【請求項３】
母材として繊維を、顔料として金属またはその化合物の粉末を用いる請求項２記載の不可視マーカー。
【請求項４】
母材として紙を、顔料としてバリウム、酸化チタン、アルミナ、それらの化合物の少なくとも一つを用いる請求項３記載の不可視マーカー。
【請求項５】
Ｘ線を照射するＸ線照射手段と、Ｘ線照射手段から照射されたＸ線を受像するＸ線受像手段と、Ｘ線照射手段とＸ線受像手段の間に請求項１から４の何れかに記載の不可視マーカーを設けた母材を配置する配置手段と、Ｘ線受像手段からの信号を入力して認識する認識手段を設けた不可視マーカーシステム。
【請求項６】
請求項１から４の何れかに記載の不可視マーカーとほぼ同一の透過性または遮断性を持ち、可視光に対する反射性が母材と異なる可視マーカーと、請求項１から４の何れかに記載の不可視マーカーを混在させた母材を用いる請求項５記載の不可視マーカーシステム。
【発明の詳細な説明】
【技術分野】
【０００１】
本発明は、正否判定に用いる不可視マーカー及びそれを用いた不可視マーカーシステムに関する。
【背景技術】
【０００２】
従来の正否判定技術としては、例えばキャッシュカードなどの偽造防止構造として、母材となる樹脂層と可視光に対する透過性あるいは反射性が異なる透かし構造を設け、専用の読み取り機でその透過光や反射光の差異を検出して正否判定を行うものがあった（例えば特許文献１参照）。
【特許文献１】特開平９−１５６１９９号公報
【発明の開示】
【発明が解決しようとする課題】
【０００３】
しかし、従来のものは、母材に透かしを設けるために特別な装置や製造方法が必要であり、また、一般に流通している母材に対して購入後に透かしを設けることは容易にできず、汎用性に乏しく、コスト高となっていた。
【０００４】
本発明は、汎用性に優れ、コストの安い不可視マーカーを提供することを目的とする。
【課題を解決するための手段】
【０００５】
上記目的を達成するために本発明の不可視マーカーは、Ｘ線に対して透過性を有する母材に設ける不可視マーカーであって、前記母材の透過性よりも低い透過性または遮断性を持ち、可視光に対する反射性が前記母材と同一の不可視マーカーである。
【０００６】
具体的には、前記母材の透過性よりも低い透過性または遮断性を持ち可視光に対する反射性が前記母材と同一の顔料または染料と、揮発性のベース剤を主成分とする液状の不可視マーカーを用いるものである。
【０００７】
このことにより、正否判定するための不可視マーカーを母材に設ける、例えば塗布するだけでよく、従来のような透かしを母材に作りこむ必要がなく、簡単で安価に正否判定用の不可視マーカーを提供できる。
【０００８】
また、本発明の不可視マーカーシステムは、Ｘ線を照射するＸ線照射手段と、Ｘ線照射手段から照射されたＸ線を受像するＸ線受像手段と、Ｘ線照射手段とＸ線受像手段の間に上記不可視マーカーを設けた母材を配置する配置手段と、Ｘ線受像手段からの信号を入力して認識する認識手段を設けたもので、従来の正否判定用の設備とコスト的にも変わりなく、実現可能である。
【発明の効果】
【０００９】
本発明によれば、流通している母材に対して容易に不可視マーカーを設けることができ、汎用性に優れ、コストの安い不可視マーカーを提供することができる。
【発明を実施するための最良の形態】
【００１０】
本発明の実施の形態を図面を用いて説明する。
（実施の形態１）
図１（ａ）は本実施の形態における母材と不可視マーカーの設け方を説明する図で、１は母材、２は母材１の表面に塗布した不可視マーカーである。
【００１１】
母材１は、Ｘ線に対して透過性を有するものを使用する。本実施の形態では白色の上質紙などのオフィス用の紙を用いる。
【００１２】
不可視マーカー２は、プリンタなどに用いられるインクを基本とし、Ｘ線に対して母材１の透過性よりも低い透過性または遮断性を持ち、可視光に対する反射性が母材１とほぼ同一の顔料、例えばバリウムや酸化チタン、アルミナなどの金属粉を主成分とする白色の顔料を水性のベース剤に混合したものを用いる。
【００１３】
不可視マーカー２の母材１への塗布方法としては、プリンタの白色カートリッジに不可視マーカー２となる顔料を用いたカートリッジをセットする。
【００１４】
次に、図１（ａ）に示すように母材１の判別用エリア（図示せず）に、予め定めた記号による不可視マーカー２を印字した後、文書や記号、図面などをプリンタで印字する。
【００１５】
なお、判別用エリアと文書や記号、図面などが重なり合うときには先に不可視マーカー２を印字し、重なり合わないときには、印字の順番はどちらが先でも、また同時でも良い。
【００１６】
図２は、本実施の形態の不可視マーカーを判別するシステムの構成図で、図において４はＸ線４ａを照射するＸ線照射手段、５はＸ線照射手段４から照射されたＸ線４ａのうち、母材１を透過したＸ線を受像するＸ線受像手段、６はＸ線照射手段４とＸ線受像手段５の間に不可視マーカー２を設けた母材１を配置する配置手段、７はＸ線受像手段５の動作をコントロールし、Ｘ線受像手段５からの信号を処理して外部へ出力するコントローラ、８はコントローラ７からの信号を入力して正否判定を行う認識手段である。
【００１７】
なお、Ｘ線照射手段４とＸ線受像手段５はＸ線４ａが適切に照射および受像できるように協働して動くようにしている。
【００１８】
上記印字された母材１は、不可視マーカー２として可視光に対する反射性が母材１とほぼ同一の顔料、例えばバリウムや酸化チタン、アルミナなどの金属粉を主成分とする白色の顔料を用いているので、一見して正否判別ができず機密性に優れ、さらに複写機などで複写できず、また、不可視マーカー２を通常のプリンタで簡単に設けることができるので、従来のものに比べて汎用性に優れ、コストを安くでき、上記Ｘ線検査装置を用いた不可視マーカーシステムで簡単に確認できる。
【００１９】
本実施の形態では母材として上質紙を用いたが、クレジットカードなどの樹脂製基板を用いた場合でも有用で、その場合には、不可視マーカー２として樹脂製基板の材色や模様と同じ顔料を揮発性の油と接着成分を有するベース剤に混合し、下地となる樹脂製基板の模様に合わせて印字することで簡単に不可視マーカー２を設けることができる。
（実施の形態２）
図１（ａ）（ｂ）（ｃ）は本実施の形態における母材と不可視マーカーの設け方を説明する図で、１は母材、２は母材１の表面に塗布した不可視マーカー、３は母材１の表面に塗布した可視マーカーである。
【００２０】
母材１は、Ｘ線に対して透過性を有するものを使用する。本実施の形態では白色の上質紙などのオフィス用の紙を用いる。
【００２１】
不可視マーカー２は、プリンタなどに用いられるインクを基本とし、Ｘ線に対して母材１の透過性よりも低い透過性または遮断性を持ち、可視光に対する反射性が母材１とほぼ同一の顔料、例えばバリウムや酸化チタン、アルミナなどの金属粉を主成分とする白色の顔料を水性のベース剤に混合したものを用いる。
【００２２】
可視マーカー３は、プリンタなどに用いられるインクを基本とし、Ｘ線に対して母材１の透過性よりも低い透過性または遮断性を持ち、可視光に対する反射性が母材１と異なる顔料、例えばバリウムや酸化チタン、アルミナなどの金属粉に黒色の皮膜を設けた黒色の顔料を水性のベース剤に混合したものを用いる。
【００２３】
不可視マーカーの母材１への塗布方法としては、プリンタの白色カートリッジに不可視マーカー２となる顔料を用いたカートリッジを、また、プリンタの黒色カートリッジに可視マーカー３となる顔料を用いたカートリッジをセットする。
【００２４】
次に、図１（ａ）に示すように母材１に文書や記号、図面などをプリンタで印字した後、判別用エリア（図示せず）に、予め定めた記号による不可視マーカー２を印字するとともに、図１（ｂ）に示すように予め定めた記号による可視マーカー３を印字する。
【００２５】
なお、判別用エリアと文書や記号、図面などが重なり合うときには先に不可視マーカー２を印字し、不可視マーカー２と可視マーカー３が重なり合うときには、可視マーカー３よりも先に不可視マーカー２を印字し、不可視マーカー２と可視マーカー３が重なり合わないときには、印字の順番はどちらが先でも、また同時でも良い。
【００２６】
図２は、本実施の形態の不可視マーカーを判別するシステムの構成図で、図において４はＸ線４ａを照射するＸ線照射手段、５はＸ線照射手段４から照射されたＸ線４ａのうち、母材１を透過したＸ線を受像するＸ線受像手段、６はＸ線照射手段４とＸ線受像手段５の間に不可視マーカー２を設けた母材１を配置する配置手段、７はＸ線受像手段５の動作をコントロールし、Ｘ線受像手段５からの信号を処理して外部へ出力するコントローラ、８はコントローラ７からの信号を入力して正否判定を行う認識手段である。
【００２７】
なお、Ｘ線照射手段４とＸ線受像手段５はＸ線４ａが適切に照射および受像できるように協働して動くようにしている。
【００２８】
上記印字された母材１（Ｘ線検査装置による透過映像では図１（ｃ）の状態）は、不可視マーカー２として可視光に対する反射性が母材１とほぼ同一の顔料、例えばバリウムや酸化チタン、アルミナなどの金属粉を主成分とする白色の顔料を用いているので、一見して正否判別ができず（目視では図１（ｂ）の状態）機密性に優れ、特に可視マーカー３とあいまって、不可視マーカー２の目視による判別を複雑化でき、さらに複写機などで不可視マーカー２や可視マーカー３を複写できず（可視マーカー３は色彩のみ複写できるがＸ線に対する透過性を複写できないので機密性の面で複写できない）、また、不可視マーカー２を通常のプリンタで簡単に設けることができるので、従来のものに比べて汎用性に優れ、コストを安くでき、判別には上記Ｘ線検査装置を用いた不可視マーカーシステムで簡単に確認できる。
【００２９】
なお、Ｘ線に対する透過性を不可視マーカー２と可視マーカー３で同一とすることで、その差異によって偽造を判別できるので、より一層機密性を保つことができる。
【００３０】
さらに、本実施の形態では母材として上質紙を用いたが、クレジットカードなどの樹脂製基板を用いた場合でも有用で、その場合には、不可視マーカー２として樹脂製基板の材色や模様と同じ顔料を揮発性の油と接着成分を有するベース剤に混合し、下地となる樹脂製基板の模様に合わせて印字することで簡単に不可視マーカー２を設けることができる。
【産業上の利用可能性】
【００３１】
本発明の不可視マーカー及びそれを用いた不可視マーカーシステムは、簡単に不可視マーカーを設けることができるので、文書の機密管理、正否判定はもとより、クレジットカードなどのＩＤカードなどにも効果があり、産業上、極めて有用である。
【図面の簡単な説明】
【００３２】
【図１】本発明の実施の形態における母材と不可視マーカーの設け方を説明する図
【図２】本発明の実施の形態における不可視マーカーシステムの構成図
【符号の説明】
【００３３】
１・・・母材
２・・・不可視マーカー
３・・・可視マーカー
４・・・Ｘ線照射手段
５・・・Ｘ線受像手段
６・・・配置手段
８・・・認識手段
【図１】
2005254465.tif 000003
【図２】
2005254465.tif 000004